(57)【要約】  歯車列（２）とエネルギー貯蔵手段（３）とが同じプレート（５）上に固定されている計時器用ムーブメント（１０）であって、歯車列（２）は、計時器用ムーブメント（１０）内でトルクを受け、エネルギー貯蔵手段（３）は、所与の固有共振振動数を有し計時器用ムーブメント（１０）内に設けられる共振器（６）と歯車列（２）を同期させる機械的な機構（１）を作動させるために歯車列（２）にトルクを伝達するように構成しており、共振器（６）は、軸（Ａ）のまわりに配置されたリング（７）を有する環状共振器であり、リング（７）は、機構（１）内に設けられる駆動メンバー（８）の運動によって引き起こされる作用によって周期的に変形するように構成しており、駆動メンバー（８）は、歯車列（２）によって直接又は間接的に回転運動するように駆動される。【選択図】  図２７
2016540987.tif 000002
【特許請求の範囲】
【請求項１】
計時器用ムーブメント（１０）においてトルクを受ける歯車列（２）の回転速度を同期させる機構（１）であって、
前記機構（１）は、軸（Ａ）のまわりに配置されたリング（７）を有する環状共振器を有し、
前記リング（７）は、前記機構（１）内に設けられる駆動メンバー（８）の運動によって引き起こされる作用の下で周期的に変形可能なように構成しており、
前記駆動メンバー（８）は、前記トルクによって直接又は間接的に駆動される
ことを特徴とする機構（１）。
【請求項２】
前記駆動メンバー（８）の速度は、前記リング（７）の全周にわたっての前記リング（７）の材料における変形波の伝搬速度を定める
ことを特徴とする請求項１に記載の機構（１）。
【請求項３】
前記駆動メンバー（８）の速度は、定常モードに対応する繰り返される形態どうしの間の前記リング（７）の振動の定在波を定める
ことを特徴とする請求項１に記載の機構（１）。
【請求項４】
前記駆動メンバー（８）は、当該計時器用ムーブメント（１０）のディスプレー（４）を駆動する
ことを特徴とする請求項１に記載の機構（１）。
【請求項５】
前記駆動メンバー（８）の運動には、少なくとも１つの回転運動を伴う
ことを特徴とする請求項１に記載の機構（１）。
【請求項６】
前記駆動メンバー（８）の運動は、回転運動である
ことを特徴とする請求項５に記載の機構（１）。
【請求項７】
前記駆動メンバー（８）は、制約がない自由な状態において前記軸（Ａ）を中心として前記リング（７）によって示される最も小さな直径を前記軸（Ａ）の外側方向に越えるように位置している少なくとも１つの遠位端（８００）を有する
ことを特徴とする請求項１に記載の機構（１）。
【請求項８】
前記少なくとも１つの遠位端（８００）は、前記軸（Ａ）に対して半径方向外側に隆起している隆起部分（７００）の形の前記リング（７）を局所的に変形させる
ことを特徴とする請求項７に記載の機構（１）。
【請求項９】
前記少なくとも１つの遠位端（８００）は、制約されていない自由状態において、前記軸（Ａ）の側の前記リング（７）の内周にて前記リング（７）にて設けられた少なくとも１つの凹部（７１）と連係するように構成している
ことを特徴とする請求項７に記載の機構（１）。
【請求項１０】
前記リング（７）は、制約されていない自由状態において、前記軸（Ａ）の側の前記リング（７）の内周にて、前記軸（Ａ）を中心とする最も小さな直径を前記リング（７）が形成するような前記軸（Ａ）に対向している少なくとも１つの隆起部分（７０）を有する
ことを特徴とする請求項１に記載の機構（１）。
【請求項１１】
前記駆動メンバー（８）と前記環状共振器（６）の間の相互作用は、機械的である
ことを特徴とする請求項１に記載の機構（１）。
【請求項１２】
前記駆動メンバー（８）は、前記軸（Ａ）に対する少なくとも１つの半径方向の力を前記リング（７）からの遠心方向に与える
ことを特徴とする請求項１１に記載の機構（１）。
【請求項１３】
前記リング（７）は、前記リング（７）よりも可撓性が高い複数の可撓性細長材（９）によって前記計時器用ムーブメントが備えるプレート（５）に固定されており、
この可撓性細長材（９）は、実質的に前記軸（Ａ）の位置に中心化するように前記リング（７）を保持し、前記軸（Ａ）に垂直な同じ平面（Ｐ）内に前記リング（７）の運動を制限し、これにおいて、前記リング（７）の慣性中心の運動が前記平面（Ｐ）における前記リング（７）の最も小さな外側寸法の１０分の１よりも小さい
ことを特徴とする請求項１に記載の機構（１）。
【請求項１４】
前記リング（７）は、前記リング（７）よりも剛性が高い複数の可撓性細長材（９）によって前記計時器用ムーブメントが備えるプレート（５）に固定されており、
この可撓性細長材（９）は、実質的に前記軸（Ａ）の位置に中心化するように前記リング（７）を保持し、前記軸（Ａ）に垂直な同じ前記平面（Ｐ）内に前記リング（７）の運動を制限し、これにおいて、前記リング（７）の慣性中心の運動が前記平面（Ｐ）における前記リング（７）の最も小さな外側寸法の１０分の１よりも小さい
ことを特徴とする請求項１に記載の機構（１）。
【請求項１５】
前記駆動メンバー（８）と前記環状共振器（６）の間の相互作用は、磁石及び／又は磁極を有する磁気的相互作用手段（１１）によって達成される
ことを特徴とする請求項１に記載の機構（１）。
【請求項１６】
前記リング（７）は、複数である第１の数の磁石及び／又は磁極を有し、
前記駆動メンバー（８）は、複数である第２の数の磁石及び／又は磁極を有し、
前記第１の数は前記第２の数と異なり、これによって、前記リング（７）と前記駆動メンバー（８）はともに速度増減機構を形成している
ことを特徴とする請求項１５に記載の機構（１）。
【請求項１７】
前記第１の数は、第２の数と１異なっている
ことを特徴とする請求項１６に記載の機構（１）。
【請求項１８】
前記磁気的相互作用手段（１１）又は前記磁石の形は、磁位ランプを形成する第１の領域と、及び磁位障壁を形成する第２の領域とを定め、これによって、前記駆動メンバー（８）と前記環状共振器（６）の間にインパルスを閉じ込める
ことを特徴とする請求項１７に記載の機構（１）。
【請求項１９】
前記リング（７）には、連続的又は周期的な形態で、周部に重みを加えられている
ことを特徴とする請求項１に記載の機構（１）。
【請求項２０】
前記リング（７）には、その周部にて複数の慣性ブロック（７５）によって重みを加えられている
ことを特徴とする請求項１９に記載の機構（１）。
【請求項２１】
前記慣性ブロック（７５）のうちの少なくとも一部は、前記軸（Ａ）に対して前記リング（７）の外側に延在し、この慣性ブロックは、Ｔ字の縦の棒が前記軸（Ａ）に対して半径方向に延在しＴ字の横の棒が前記軸（Ａ）に最も遠い位置で前記軸（Ａ）に対する半径方向とは垂直に延在するようなＴ字形の輪郭を有する
ことを特徴とする請求項２０に記載の機構（１）。
【請求項２２】
前記駆動メンバー（８）は、前記リング（７）に非接触の力を与えるように構成している車である
ことを特徴とする請求項１に記載の機構（１）。
【請求項２３】
前記車は、前記軸（Ａ）の側で前記リング（７）の内周面上を転がる又は滑るように構成している少なくとも１つのローラー（８５）が設けられたクランクハンドルを形成しているアームを支えている
ことを特徴とする請求項２２に記載の機構（１）。
【請求項２４】
前記リング（７）は、その周部に沿って変化する断面及び／又は厚みを有する
ことを特徴とする請求項１に記載の機構（１）。
【請求項２５】
制約されていない自由状態において、前記リング（７）は、前記軸（Ａ）と直交する平面（Ｐ）において多角形ないし多ローブ形を有する
ことを特徴とする請求項１に記載の機構（１）。
【請求項２６】
前記リング（７）は、マイクロ加工可能な材料又はケイ素で作られており、前記軸（Ａ）を通るいずれの平面においても長方形の断面を有する
ことを特徴とする請求項１に記載の機構（１）。
【請求項２７】
前記リング（７）は、前記計時器用ムーブメントが備えるプレート（５）に接続する前記複数の可撓性細長材（９）と一体的に形成されている
ことを特徴とする請求項２６に記載の機構（１）。
【請求項２８】
前記リング（７）は、前記複数の可撓性細長材（９）及び前記プレート（５）と一体的に形成されている
ことを特徴とする請求項２７に記載の機構（１）。
【請求項２９】
環状共振器（６）を有する請求項１に記載の機構（１）を作動させる歯車列（２）にトルクを伝達するように構成しているエネルギー貯蔵手段（３）がプレート（５）に固定されている計時器用ムーブメント（１０）であって、
前記リング（７）は、前記可撓性細長材（９）によって前記プレート（５）に固定されており、
前記駆動メンバー（８）は、前記歯車列（２）によって駆動され、
前記駆動メンバー（８）は、当該計時器用ムーブメント（１０）のディスプレー手段（４）を制御する
ことを特徴とする計時器用ムーブメント（１０）。
【請求項３０】
請求項２９に記載の機構（１）を有し、腕時計である
ことを特徴とする計時器（１００）。
【発明の詳細な説明】
【技術分野】
【０００１】
本発明は、計時器用ムーブメントにおいてトルクを受ける歯車列の回転速度を同期させる機構に関する。
【０００２】
本発明は、さらに、エネルギー貯蔵手段と、及び前記機構を作動させるための機構列とがプレート上に固定されている計時器用ムーブメントに関する。
【０００３】
本発明は、さらに、このようなムーブメントを１つ有する計時器に関する。
【０００４】
本発明は、機械式計時器の規制の分野に関し、特に、機械式腕時計の規制の分野に関する。
【背景技術】
【０００５】
計時器用エスケープ機構において、一般的に用いられているスイス式レバーエスケープの効率は比較的低い（３５％のオーダー）。
【０００６】
スイス式レバーエスケープにおける損失の主な原因は、以下の通りである。
−  歯に対するパレット石の摩擦
−  車とパレットレバーの無駄な運動に起因する衝撃
−  工作誤差に対処するために必要な損失
【０００７】
スイス式レバーエスケープよりも効率が良い腕時計用ムーブメントにおける新規な同期システムを開発することができると、以下のような恩恵を享受しうる。
−  腕時計の自律性の増加
−  腕時計のクロノメーター特性の改善
−  マーケティング上及び審美的な差別化
【発明の概要】
【発明が解決しようとする課題】
【０００８】
本発明は、スイス式レバーエスケープよりも効率が高い機構を作ることを提案するものである。
【課題を解決するための手段】
【０００９】
本発明は、メインばねによって駆動される歯車列を共振器と同期させるシステムからなる。
【００１０】
このために、本発明は、計時器用ムーブメントにおいてトルクを受ける歯車列の回転速度を同期させる機構に関し、前記機構は、軸のまわりに配置されたリングを有する環状共振器を有し、前記リングは、前記機構内に設けられる駆動メンバーの運動によって引き起こされる作用の下で周期的に変形可能なように構成しており、前記駆動メンバーは、前記トルクによって直接又は間接的に駆動される。
【００１１】
本発明は、さらに、環状共振器を有するこのような機構を作動させる歯車列にトルクを伝達するように構成しているエネルギー貯蔵手段がプレートに固定されている計時器用ムーブメントに関し、前記リングは、前記可撓性細長材によって前記プレートに固定されており、前記駆動メンバーは、前記歯車列によって駆動され、前記駆動メンバーは、当該計時器用ムーブメントのディスプレー手段を制御する。
【００１２】
本発明は、さらに、このようなムーブメントを有し、腕時計である計時器に関する。
【００１３】
添付図面を参照しながら下記の詳細な説明を読むことで、本発明の他の特徴及び利点を理解することができるであろう。
【図面の簡単な説明】
【００１４】
【図１】図１〜３は、本発明に係る計時器用ムーブメントの歯車列の回転速度を同期させる機構の概略平面図を示している。これは、変形可能なリングを備えた環状共振器を有し、このリングの変形は、リングの軸のまわりを回転するクランクハンドルとしてはたらく駆動メンバーによってもたらされる。図１と図３は、最大の楕円的な変形の輪郭を示している。
【図２】最大の楕円的な変形の輪郭を示している図１と図３の間のリングが実質的に環状の輪郭を有する中性状態を示しており、楕円の軸がこれらの２つの極端な位置の間で置き換わる。
【図３】図１と図３は、最大の楕円的な変形の輪郭を示している。
【図４】「ワイングラス」タイプの環状共振器を備えた変種の概略平面図であり、これは、固有周波数を低下させるために重みを加えられ、クランクハンドルとしてはたらく駆動メンバーと同期する。
【図５】環状の「ワイングラス」タイプの共振器を備えた変種の概略平面図であり、これは、固有周波数を低下させるために重みを加えられ、変形及び／又はインパルスを発生させるためにリングの磁路と連係するように構成している磁性領域を有する車と磁気的に同期する。
【図６】環状の「ワイングラス」タイプの共振器を有する変種の概略平面図を示しており、これは、固有周波数を低下させるために重みを加えられ、車と磁気的に同期する。
【図７】茎部が固定保持されているステムグラスの「チューリップ部分」の近くのラウドスピーカーによって形成される励起源を用いる「ワイングラス」実験の状況の概略側面図を示している。
【図８】楕円的な輪郭変形が異なる状態における図７のグラスを振動の波腹及び節の分布とともに示す概略平面図である。
【図９】図９〜１１は、図１〜３と同様であるが、リングが自由状態において必ずしも環状ではなくエネルギーしきい値を形成する隆起部分を有しており、リングをプレートに接続する可撓性細長材の取り付け点が楕円の長い軸と短い軸の交点にある。
【図１０】図９と同様である。
【図１１】図９と同様である。
【図１２】本発明に係る機構を備えるムーブメントを有する計時器を示すブロック図である。
【図１３】図１３〜１８は、本発明の実装に適した特定のリング形状を示している。図１３は、外側が環状で内側が四ローブ状のものである。
【図１４】外側が実質的に三角形で内側が三ローブ状のものである。
【図１５】実質的に一定の断面を有する実質的に環状のものである。
【図１６】外側が環状であり、複数の分離した凹部を有するものである。
【図１７】半径に応じて厚みが変わるものである。
【図１８】内側が環状であり、外側に複数のＴ字形の慣性ブロックを有するものである。
【図１９】リングと駆動メンバーの連係を示すものであり、これらの両方は実質的に環状であり、複数の磁路を有している。
【図２０】図２０〜３１は、平面ＸＹにおけるこのような共振器の固有モードを示しており、リングの直径が１４．００ｍｍ、薄いタイプ、厚みと高さが０．０１ｍｍであり、ヤング率が１４６ＧＰａ、密度が２３２９ｋｇ／ｍ3、ポアソン比が０．２６のケイ素で作られている。図２０は、図２２における第１の固有モードが１８２Ｈｚ、図２３における第２の固有モードが４７０Ｈｚ、図２３と同じだが直交型（図示せず）である第３の固有モード、図２４における第４の固有モードが５５０Ｈｚ、図２５における第５の固有モードが６０５Ｈｚ、図２６における第６の固有モードが６９２Ｈｚであるものである。
【図２１】半径方向の長さが１．０ｍｍの２３個のバラストを有するものである。これによって、固有モード周波数を相当に大きく低下させることが可能になる。図２７における第１の固有モードが３３Ｈｚ、図２８における第２の固有モードが８５Ｈｚ、図２８のものと同じだが直交型（図示せず）である第３の固有モードが８９Ｈｚ、図２９における第４の固有モードが９６Ｈｚ、図３０における第５の固有モードが１４８Ｈｚ、図３１における第６の固有モードが１５５Ｈｚである。
【発明を実施するための形態】
【００１５】
以下、「リング」とは、軸のまわりで広がっており自ら閉じている円環と同様な立体を意味する。この「リング」は、実質的に、軸に対して対称な円環状のリングであるが、正確に軸に対して対称である必要はない。
【００１６】
特定種類の共振器においては、異なる波の実装を組み合わせている。
【００１７】
特に、いわゆる「ワイングラス型」実験室共振器が知られている。これにおいては、茎部分が固定保持されているステムグラスの「チューリップ部分」が特定の音によって励起される。グラスの近くのラウドスピーカーによって発生した励起周波数が、約１００Ｗの信号パワー、８００〜９００Ｈｚのオーダーのグラスの共振振動数と等しいように選ばれる場合、グラスのチューリップ部分に波のネットワークを作ることができ、これは、チューリップ部分の大きな変形を引き起こす。これは、図７及び８に示すように、茎部分の軸と垂直なグラスの開口部における平面図で見ると、所与の時点でグラスの縁部を楕円形にする。図８は、振動の節Ｎ及び波腹Ｖを示している。この楕円の形は変形可能であり、励起が維持されると、楕円の形が変わってその偏心率が変わり、そして、ワイングラスの縁部の自由な形に対応する偏心率が１である位置を通り抜けて、楕円の長い軸と短い軸が入れ替わるまでになる。このような変形によって、グラスを壊すまでに至ることもある。励起源が放射状に配置される場合、４つの同一の振動波腹の存在が観察され、そのうちの１つは励起源の反対側にあり、振動節は、グラスの軸と励起源によって定められる軸と４５°を形成している。
【００１８】
この現象は、定在波に起因している。この定在波は、実質的に環状である環状領域においてグラスの縁部に沿った両方の方向に伝搬する進行波及び後退波の和であると考えることができる。
【００１９】
結果として得られる振動は、以下の式に従う。
ｕ（ｘ，ｔ）＝ｆ（ｘ＋ｖｔ）＋ｇ（ｘ−ｖｔ）
ここで、ｆは、進行波を与える関数であり、ｇは、後退波を与える関数である。
【００２０】
これらの関数ｆ及びｇは任意の関数であることができ、グラスの初期励起に依存することができる。
【００２１】
比較的長い時間待つと、定在波を得ることができる。
【００２２】
例えば、ｆとｇがシヌソイド関数
ｕ（ｘ，ｔ）＝ｓｉｎ（ｋｘ＋ωｔ）＋ｓｉｎ（ｋｘ−ωｔ）
である場合、三角法の関係
ｓｉｎ  ａ  ＋  ｓｉｎ  ｂ  ＝  ２ｓｉｎ（ａ＋ｂ）／２ｃｏｓ（ａ−ｂ）／２
によって、以下の式が成立する。
ｕ（ｘ，ｔ）＝２ｓｉｎ（ｋｘ）ｃｏｓ（ωｔ）
これは、定在波である。各点は、ｃｏｓ（ωｔ）のような位相で振動するが、振幅は異なる。
【００２３】
本発明は、変形可能なリングを工夫して波の一方（例、進行波）のみを励起させることによって、上記の既知の工業上の用途がない原理を拡張することを提案するものである。
【００２４】
そして、この波は、リングの縁部のまわりを励起源と同じ速度で回転することができる。これは、ここにおいては駆動メンバーによって形成されている（これに制限されない）。特に、中央のクランクハンドル又は車によって形成されている。
【００２５】
エスケープに対しては、この駆動メンバーは、以下のことを確実にする。すなわち、
−  （振動を維持する）エネルギーの伝達
−  計数
である。なぜなら、駆動メンバーが波と同じ速度で回転するからである。
【００２６】
なお、リングのまわりの波の伝達の速度は、駆動メンバーと無関係であって、リングの特性である。
【００２７】
したがって、システムが適切な寸法構成を有する場合、この駆動メンバーは、波と同じ速度で波を追うはずである。
【００２８】
この波は、リングの材料を伝搬する。波の影響によって、リングが弾性変形する（曲がる）。
【００２９】
好ましくは、励起は連続的である（これに制限されない）。したがって、リング上の１点に焦点がある場合、駆動メンバーがある１点を通過することが正弦波ピークと類似することとなる。信号は、好ましくは、周期的である。
【００３０】
図示した例において、駆動メンバーの存在と関係する波の効果によって、リングを半径方向に押す傾向が発生し、リングが弾性変形する。
【００３１】
励起波はリングの弾性変形の波であり、これは、ほとんど横波であり、実質的に半径方向の変形をもたらす。
【００３２】
このことによって、図示した例において、なぜ、円環から開始して、変形が、主軸が中心のまわりを回転するような楕円のようになるのかがわかる。他の変形形状も思い描くことができることは明らかであろう。
【００３３】
この一又は複数の励起波を受ける物は、好ましくは、実質的に環状の形であり、特定の場合には、完全な回転面を形成するトロイドリングである。
【００３４】
この物を、上記の実験室の例におけるグラスの茎部のように固定保持することができる。
【００３５】
図面には、固定保持された細長材がリングを保持するような複数の変種を示している。好ましくは、これらの細長材は、適正な動作を行うことができるようにリングに対して非常に可撓性がある。
【００３６】
実際に、グラスステムと比較しての分析は、腕時計には不適当であると考えられる。なぜなら、この実施形態においては、グラスの縁部が固定取り付け点から十分な距離離れて変形するために、グラスの壁の高さが大きいことを必要とするからである。
【００３７】
本発明は、駆動メンバーの軸と実質的と同心である変形可能な環状共振器によって計時器機構列の回転速度を同期させる機構に関し、この環状共振器は、伝統的な計時器用歯車列においてエスケープ車に通常割り当てられる機能を満たすものである。好ましくは、この環状共振器は、上記のような「ワイングラス型」共振器と同様なものである。駆動メンバーと共振器の間の相互作用は、機械的であっても非接触式であってもよく、非接触式のものとしては、特に、磁気式及び／又は静電式のものがある。
【００３８】
具体的には、本発明は、ムーブメント１０が備えるエネルギー貯蔵手段３で発生したトルクを受ける計時器用ムーブメント１０の歯車列２の回転速度を同期させる機構１に関する。
【００３９】
本発明によると、この機構１は、リング７を有する環状共振器６を有し、このリング７は、機構１が備える駆動メンバー８の運動によって引き起こされる作用の影響の下で軸Ａのまわりにて変形可能である。この駆動メンバー８は、トルクによって直接又は間接的に駆動され、具体的には、エネルギー貯蔵手段３によって駆動される。特に、歯車列によってバレルから駆動される。
【００４０】
本発明の実装例の１つにおいて、駆動メンバー８の速度は、リング７の全周でのリング７の材料における変形波の伝播速度を定める。
【００４１】
本発明の別の実装において、駆動メンバー８の速度は、定在モードに対応する繰り返し形成される形どうしの間のリング７の振動する定在波を定める。
【００４２】
好ましい実施形態において、駆動メンバー８は、ディスプレー４を駆動する。例えば、計時器用ムーブメント１０の第２のディスプレーである。
【００４３】
駆動メンバー８の運動には、回転運動が含まれる。好ましくは、駆動メンバー８の運動は回転運動である。
【００４４】
図１５に示すように、本発明の実装例の１つにおいて、駆動メンバー８は、少なくとも１つの遠位端８００を有し、これは、制約がない自由状態において、軸Ａを中心としてリング７によって形成される最も小さな直径を軸Ａの外側方向に越えるように位置している。具体的には、少なくとも１つの遠位端８００は、軸Ａに対する半径方向外側に突き出る隆起部分７００の形にリング７を局所的に変形させる。
【００４５】
より詳細には、少なくとも１つの遠位端８００は、制約がない自由状態にて、軸Ａの側の内周にてリング７に形成された少なくとも１つの凹部７１と連係するように構成している。
【００４６】
特定の実施形態において、リング７は、制約がない自由状態にて、軸Ａの側の内周にて、軸Ａの方を向いている少なくとも１つの隆起７０を有しており、これは、軸Ａを中心としてリング７によって形成される最も小さな直径を形成している。
【００４７】
特定の実施形態において、駆動メンバー８と環状共振器６の間の相互作用は機械的である。
【００４８】
特定の静的な実施形態において、駆動メンバー８は、リング７の遠心方向に、軸Ａを中心とする少なくとも１つの半径方向の力をはたらかせる。
【００４９】
好ましい実施形態において、リング７は、複数の可撓性細長材９によって、計時器用ムーブメント１０が備えるプレート５に固定され、この可撓性細長材９は、第１の代替実施形態において、リング７よりも可撓性があり、これは、実質的に軸Ａを中心とするリング７を保持し、軸Ａに垂直な同じ平面Ｐ内にリング７の運動を制限するように構成しており、リング７の慣性の中心の運動が、平面Ｐにおけるリング７の最も小さな外側寸法の１０分の１よりも小さい範囲に制限されている。
【００５０】
第２の代替実施形態において、これらの可撓性細長材９は、リング７よりも剛性が大きい。
【００５１】
図１〜４及び９〜１１に示すように、第１の変種実施形態において、環状の「ワイングラス」タイプの共振器６が、クランクハンドルとして作用する駆動メンバー８と同期される。図２は、安静状態の共振器の形を示しており、図１及び３は、環状共振器６がクランクハンドルの進行中にとることができる極限状態を示している。
【００５２】
好ましいことに、環状共振器６のリング７は、リング７よりも可撓性が高い複数の可撓性細長材によって、計時器用ムーブメント１０が備えるプレート５に固定され、この可撓性細長材は、軸Ａを中心とするリング７を保持し、軸Ａに垂直な同じ平面Ｐにおけるリング７の運動を非常に小さな運動距離の範囲に制限するように構成している。特に、この平面Ｐにおけるリング７の最も小さな外側寸法の１０分の１よりも小さな運動距離の範囲に制限する。図示した好ましい場合において、静止状態において、リング７は、実質的に環状であり、この小さな方の寸法は、リング７の極端な変形に対応する楕円の小さな軸の長さである。図９〜１１は、同様の構成を示しているが、可撓性細長材９は、図面の水平軸に対して９０°を法とする４５°（４５°  modulo  ９０°）において振動節になることができる領域に取り付けられており、環状共振器は、厳密には自由状態の回転でなく、図１０に示すように、リングに対して付加的な半径方向の力をかけて可撓性細長材９を越えることを駆動メンバーに強いるような２つの束縛部分を有する。
【００５３】
駆動メンバー８と環状共振器６の間の相互作用は、機械的なタイプのものであり、駆動メンバー８は、リング７に対して半径方向外側の力を与える。
【００５４】
第２の変種実施形態において、駆動メンバー８と環状共振器６の間の相互作用は、磁石及び／又は磁極を有する磁気的相互作用手段１１によって達成される。
【００５５】
特定の実施形態において、リング７は、磁石又は磁極を複数である第１の数有し、駆動メンバー８は、磁石及び磁極を複数である第２の数有し、第１の数は、リング７と駆動メンバー８が速度増減機構をともに形成するように第２の数とは異なっている。具体的には、第１の数は、第２の数と１異なっている。
【００５６】
特定の実施形態において、磁気的相互作用手段１１又は磁石の形は、磁位のランプ（傾斜）を形成する第１の領域と、及び磁位の障壁を形成する第２の領域を定め、これによって、駆動メンバー８と環状共振器６の間にインパルスを閉じ込める。
【００５７】
第３の変種において、駆動メンバー８と環状共振器６の間の相互作用は、エレクトレット及び／又は静電気伝導性の棒体を有する静電相互作用手段によって達成される。
【００５８】
図５に示すように、第２又は第３の変種において、磁気又は静電相互作用手段１１あるいは磁石又はエレクトレットの形はそれぞれ、磁位ランプを形成する第１の領域と、及び磁位障壁を形成する第２の領域とを定め、これによって、駆動メンバー８と環状共振器６の間にインパルスを閉じ込める。図５の実施形態において（これに制限されない）、駆動メンバー８は、Ｔ字形の磁石８１を支えており、これは、駆動メンバー８とリング７の特定の相対的位置において、まず、部分的な重ね合わせを達成し、そして、リング７の領域との全体的な重ね合わせを達成する。このリング７は、磁路７１を備えることができ、また、備えなくてもよい。磁石８１と磁路７１の間の連係は漸進的である。すなわち、磁石８１の第１の枝部８２が、磁位ランプを形成している対向している磁路７１と連係し始め、次に、これと交差している磁石８１の棒部８３が、インパルスを発生させる実際の磁位障壁を形成する。
【００５９】
図４、５、２１、２７〜３１に示す好ましい変種において、リング７は、その周部において連続的又は周期的な重みを加えられている。これは、例えば、慣性ブロック７５によって達成される。これによって、装備されるリング７の外観が車両のトラック路のようになる。
【００６０】
図２７〜３１は、第１の固有モードの周波数を低下させるためにこれらのバラストによってもたらされる利点を示している。
【００６１】
具体的には、連続的又は周期的な形態でリング７に重みが加えられている。
【００６２】
特定の実施形態において、リング７は複数の慣性ブロック７５によって重みが加えられている。
【００６３】
特定の実施形態において、少なくともいくつかの慣性ブロック７５が、軸Ａに対するリング７の外側に延在し、Ｔ字形の輪郭を有しており、このＴ字形の輪郭の垂直方向の棒部分は、軸Ａを中心とする半径方向を向いており、Ｔ字形の輪郭の交差方向の棒部分は、軸Ａに垂直であり、軸Ａから最も遠い。
【００６４】
図４は、固有周波数を低下させるように重みが加えられておりクランクハンドルと同期する環状の「ワイングラス型」共振器６を示している。図５は、固有周波数を低下させるために重みが加えられており車と磁気的に同期する「ワイングラス型」環状共振器６を示している。
【００６５】
車と共振器の間の相互作用要素として磁石を使用することによって、摩擦損失、衝撃ノイズ及び「低下」に起因する損失をなくすことが可能になる。磁石の形は、インパルスを閉じ込めるランプ／障壁の効果が発揮されるように、最適化することができる。
【００６６】
第１の機械的な変種においては、駆動メンバー８は、好ましいことに、リング７の機械的変形を引き起こすクランクハンドルである。
【００６７】
図５及び６のような実施形態では、駆動メンバー８は、リング７に対して非接触の力をはたらかせるように構成している車である。
【００６８】
特定の実施形態において、車は、軸Ａの側でリング７の内周面で転がる又は滑るように構成している少なくとも１つのローラー８５を備えるクランクハンドルを形成するアームを支えている。
【００６９】
上記の実施形態の１つ又は他の実施形態においては、リング７は、その周部に沿って変化する断面及び／又は厚みを有することができる。
【００７０】
特定の実施形態において、制約がない自由状態では、リング７は、軸Ａと直交する平面Ｐにおいて多角形ないし多ローブ形（polylobate shape）を有する。
【００７１】
特定の好ましい実施形態において、リング７は、マイクロ機械加工可能な材料又はケイ素で作られており、軸Ａを通る任意の平面にて長方形の断面を有する。
【００７２】
特定の実施形態において、リング７は、計時器用ムーブメント１０が備えるプレート５への接続用の複数の可撓性細長材９と一体的に形成されている。具体的には、リング７は、複数の可撓性細長材９及びプレート５と一体的に形成されている。
【００７３】
特定の実施形態において、駆動メンバー８は、エネルギー貯蔵手段３と駆動メンバー８の間に挿入された速度増減機構によって駆動される。図６に示すように、この速度増減機構は、磁気結合機構である。図６は、固有周波数を低下させるために重みを加えられ、磁気的増速ギアを介して磁気的に車と同期する「ワイングラス型」環状共振器６を示している。この磁気的増速ギアは、共振器の固有周波数よりも低い周波数で回転するエスケープ車を有するように構成している。
【００７４】
特定の実施形態において、駆動メンバー８は、第１のピッチの交番磁界８１を伴う第１のディスクを有し、これは、第１のピッチと非常に近いが異なる第２のピッチの磁界８２を伴う第２のディスクと連係している。
【００７５】
図示しない別の変種においては、機械的な相互作用と磁気的又は静電的な相互作用が組み合わさっている。
【００７６】
本発明は、さらに、プレート５ｅ上で固定されたエネルギー貯蔵手段３と駆動メンバー８を有する計時器用ムーブメント１０に関し、エネルギー貯蔵手段３は、環状共振器６を有する前記機構１を作動させるために歯車列２にトルクを伝達するように構成しており、前記プレート５には可撓性細長材９によってリング７が固定されており、駆動メンバー８は、歯車列２によって駆動され、駆動メンバー８は、表示手段４を制御する。特に、ムーブメント１０の秒表示のための手段を制御する。
【００７７】
本発明は、さらに、前記ムーブメント１０を１つ有する計時器１００に関する。具体的には、この計時器２００は腕時計である。
【００７８】
本発明は、以下のような相当に大きい利点を有する。本発明によって、スイス式レバーエスケープの無駄な運動をなくし、これによって、衝撃に起因する損失をなくすことが可能になる。エスケープの効率が相当に向上する。
【００７９】
このような環状共振器にはピボットがなく、したがって、バランスばねのピボットにおける摩擦損失が発生しない。
【００８０】
無駄な運動がないために、共振器の周波数を大きくすることができ、結果的に、腕時計のＱ及び精度を向上することができる。
【００８１】
クランクハンドルを備えた変種は、純粋に機械的な同期システムであり、分離することができない。
【００８２】
本発明は、エスケープと共振器の分野における革新を提案するものである。また、鼓動する心臓と視覚的に類似しているために強い情緒的な潜在力を有する。
【図１】
2016540987.tif 000003
【図２】
2016540987.tif 000004
【図３】
2016540987.tif 000005
【図４】
2016540987.tif 000006
【図５】
2016540987.tif 000007
【図６】
2016540987.tif 000008
【図７】
2016540987.tif 000009
【図８】
2016540987.tif 000010
【図９−１１】
2016540987.tif 000011
【図１２】
2016540987.tif 000012
【図１３】
2016540987.tif 000013
【図１４】
2016540987.tif 000014
【図１５】
2016540987.tif 000015
【図１６】
2016540987.tif 000016
【図１７】
2016540987.tif 000017
【図１８】
2016540987.tif 000018
【図１９】
2016540987.tif 000019
【図２０】
2016540987.tif 000020
【図２１】
2016540987.tif 000021
【図２２】
2016540987.tif 000022
【図２３】
2016540987.tif 000023
【図２４】
2016540987.tif 000024
【図２５】
2016540987.tif 000025
【図２６】
2016540987.tif 000026
【図２７】
2016540987.tif 000027
【図２８】
2016540987.tif 000028
【図２９】
2016540987.tif 000029
【図３０】
2016540987.tif 000030
【図３１】
2016540987.tif 000031
【手続補正書】
【提出日】平成28年6月15日(2016.6.15)
【手続補正１】
【補正対象書類名】明細書
【補正対象項目名】全文
【補正方法】変更
【補正の内容】
【発明の詳細な説明】
【技術分野】
【０００１】
本発明は、計時器用ムーブメントにおいてトルクを受ける歯車列の回転速度を同期させる機構に関する。
【０００２】
本発明は、さらに、エネルギー貯蔵手段と、及び前記機構を作動させるための機構列とがプレート上に固定されている計時器用ムーブメントに関する。
【０００３】
本発明は、さらに、このようなムーブメントを１つ有する計時器に関する。
【０００４】
本発明は、機械式計時器の規制の分野に関し、特に、機械式腕時計の規制の分野に関する。
【背景技術】
【０００５】
計時器用エスケープ機構において、一般的に用いられているスイス式レバーエスケープの効率は比較的低い（３５％のオーダー）。
【０００６】
スイス式レバーエスケープにおける損失の主な原因は、以下の通りである。
−  歯に対するパレット石の摩擦
−  車とパレットレバーの無駄な運動に起因する衝撃
−  工作誤差に対処するために必要な損失
【０００７】
スイス式レバーエスケープよりも効率が良い腕時計用ムーブメントにおける新規な同期システムを開発することができると、以下のような恩恵を享受しうる。
−  腕時計の自律性の増加
−  腕時計のクロノメーター特性の改善
−  マーケティング上及び審美的な差別化
【０００８】
ＮＸＰ  ＢＶ名義の欧州特許出願ＥＰ２５４４３７０Ａ１は、ＭＥＭＳ共振器について記載しており、これは、間隔を空けてアンカー点の組が配置されておりアンカー点において固定基材に接続している閉じたリングの形をしている共振器用重量体と、リングに固定されているコーム電極構成の組と、基材に固定されており第１のコーム電極と連係する少なくとも１つのコーム電極を駆動する手段と、基材に固定されている少なくともコーム電極を駆動する第２の手段とを有し、このコーム電極が、別のコーム電極と連係し、コーム電極の組及び少なくとも１つの駆動手段に与えられる信号を制御する制御回路を有するものである。
【発明の概要】
【発明が解決しようとする課題】
【０００９】
本発明は、スイス式レバーエスケープよりも効率が高い機構を作ることを提案するものである。
【課題を解決するための手段】
【００１０】
本発明は、メインばねによって駆動される歯車列を共振器と同期させるシステムからなる。
【００１１】
このために、本発明は、請求項１に記載の計時器用ムーブメントに関する。
【００１２】
本発明は、さらに、このようなムーブメントを有し、腕時計である計時器に関する。
【００１３】
添付図面を参照しながら下記の詳細な説明を読むことで、本発明の他の特徴及び利点を理解することができるであろう。
【図面の簡単な説明】
【００１４】
【図１】図１〜３は、本発明に係る計時器用ムーブメントの歯車列の回転速度を同期させる機構の概略平面図を示している。これは、変形可能なリングを備えた環状共振器を有し、このリングの変形は、リングの軸のまわりを回転するクランクハンドルとしてはたらく駆動メンバーによってもたらされる。図１と図３は、最大の楕円的な変形の輪郭を示している。
【図２】最大の楕円的な変形の輪郭を示している図１と図３の間のリングが実質的に環状の輪郭を有する中性状態を示しており、楕円の軸がこれらの２つの極端な位置の間で置き換わる。
【図３】図１と図３は、最大の楕円的な変形の輪郭を示している。
【図４】「ワイングラス」タイプの環状共振器を備えた変種の概略平面図であり、これは、固有周波数を低下させるために重みを加えられ、クランクハンドルとしてはたらく駆動メンバーと同期する。
【図５】環状の「ワイングラス」タイプの共振器を備えた変種の概略平面図であり、これは、固有周波数を低下させるために重みを加えられ、変形及び／又はインパルスを発生させるためにリングの磁路と連係するように構成している磁性領域を有する車と磁気的に同期する。
【図６】「ワイングラス」タイプの環状共振器を有する変種の概略平面図を示しており、これは、固有周波数を低下させるために重みを加えられ、車と磁気的に同期する。
【図７】茎部が固定保持されているステムグラスの「チューリップ部分」の近くのラウドスピーカーによって形成される励起源を用いる「ワイングラス」実験の状況の概略側面図を示している。
【図８】楕円的な輪郭変形が異なる状態における図７のグラスを振動の波腹及び節の分布とともに示す概略平面図である。
【図９】図９〜１１は、図１〜３と同様であるが、リングが自由状態において必ずしも環状ではなくエネルギーしきい値を形成する隆起部分を有しており、リングをプレートに接続する可撓性細長材の取り付け点が楕円の長い軸と短い軸の交点にある。
【図１０】図９と同様である。
【図１１】図９と同様である。
【図１２】本発明に係る機構を備えるムーブメントを有する計時器を示すブロック図である。
【図１３】図１３〜１８は、本発明の実装に適した特定のリング形状を示している。図１３は、外側が環状で内側が四ローブ状のものである。
【図１４】外側が実質的に三角形で内側が三ローブ状のものである。
【図１５】実質的に一定の断面を有する実質的に環状のものである。
【図１６】外側が環状であり、複数の分離した凹部を有するものである。
【図１７】半径に応じて厚みが変わるものである。
【図１８】内側が環状であり、外側に複数のＴ字形の慣性ブロックを有するものである。
【図１９】リングと駆動メンバーの連係を示すものであり、これらの両方は実質的に環状であり、複数の磁路を有している。
【図２０】図２０〜３１は、平面ＸＹにおけるこのような共振器の固有モードを示しており、リングの直径が１４．００ｍｍ、薄いタイプ、厚みと高さが０．０１ｍｍであり、ヤング率が１４６ＧＰａ、密度が２３２９ｋｇ／ｍ3、ポアソン比が０．２６のケイ素で作られている。図２０は、図２２における第１の固有モードが１８２Ｈｚ、図２３における第２の固有モードが４７０Ｈｚ、図２３と同じだが直交型（図示せず）である第３の固有モード、図２４における第４の固有モードが５５０Ｈｚ、図２５における第５の固有モードが６０５Ｈｚ、図２６における第６の固有モードが６９２Ｈｚであるものである。
【図２１】半径方向の長さが１．０ｍｍの２３個のバラストを有するものである。これによって、固有モード周波数を相当に大きく低下させることが可能になる。図２７における第１の固有モードが３３Ｈｚ、図２８における第２の固有モードが８５Ｈｚ、図２８のものと同じだが直交型（図示せず）である第３の固有モードが８９Ｈｚ、図２９における第４の固有モードが９６Ｈｚ、図３０における第５の固有モードが１４８Ｈｚ、図３１における第６の固有モードが１５５Ｈｚである。
【発明を実施するための形態】
【００１５】
以下、「リング」とは、軸のまわりで広がっており自ら閉じている円環と同様な立体を意味する。この「リング」は、実質的に、軸に対して対称な円環状のリングであるが、正確に軸に対して対称である必要はない。
【００１６】
特定種類の共振器においては、異なる波の実装を組み合わせている。
【００１７】
特に、いわゆる「ワイングラス型」実験室共振器が知られている。これにおいては、茎部分が固定保持されているステムグラスの「チューリップ部分」が特定の音によって励起される。グラスの近くのラウドスピーカーによって発生した励起周波数が、約１００Ｗの信号パワー、８００〜９００Ｈｚのオーダーのグラスの共振振動数と等しいように選ばれる場合、グラスのチューリップ部分に波のネットワークを作ることができ、これは、チューリップ部分の大きな変形を引き起こす。これは、図７及び８に示すように、茎部分の軸と垂直なグラスの開口部における平面図で見ると、所与の時点でグラスの縁部を楕円形にする。図８は、振動の節Ｎ及び波腹Ｖを示している。この楕円の形は変形可能であり、励起が維持されると、楕円の形が変わってその偏心率が変わり、そして、ワイングラスの縁部の自由な形に対応する偏心率が１である位置を通り抜けて、楕円の長い軸と短い軸が入れ替わるまでになる。このような変形によって、グラスを壊すまでに至ることもある。励起源が放射状に配置される場合、４つの同一の振動波腹の存在が観察され、そのうちの１つは励起源の反対側にあり、振動節は、グラスの軸と励起源によって定められる軸と４５°を形成している。
【００１８】
この現象は、定在波に起因している。この定在波は、実質的に環状である環状領域においてグラスの縁部に沿った両方の方向に伝搬する進行波及び後退波の和であると考えることができる。
【００１９】
結果として得られる振動は、以下の式に従う。
ｕ（ｘ，ｔ）＝ｆ（ｘ＋ｖｔ）＋ｇ（ｘ−ｖｔ）
ここで、ｆは、進行波を与える関数であり、ｇは、後退波を与える関数である。
【００２０】
これらの関数ｆ及びｇは任意の関数であることができ、グラスの初期励起に依存することができる。
【００２１】
比較的長い時間待つと、定在波を得ることができる。
【００２２】
例えば、ｆとｇがシヌソイド関数
ｕ（ｘ，ｔ）＝ｓｉｎ（ｋｘ＋ωｔ）＋ｓｉｎ（ｋｘ−ωｔ）
である場合、三角法の関係
ｓｉｎ  ａ  ＋  ｓｉｎ  ｂ  ＝  ２ｓｉｎ（ａ＋ｂ）／２ｃｏｓ（ａ−ｂ）／２
によって、以下の式が成立する。
ｕ（ｘ，ｔ）＝２ｓｉｎ（ｋｘ）ｃｏｓ（ωｔ）
これは、定在波である。各点は、ｃｏｓ（ωｔ）のような位相で振動するが、振幅は異なる。
【００２３】
本発明は、変形可能なリングを工夫して波の一方（例、進行波）のみを励起させることによって、上記の既知の工業上の用途がない原理を拡張することを提案するものである。
【００２４】
そして、この波は、リングの縁部のまわりを励起源と同じ速度で回転することができる。これは、ここにおいては駆動メンバーによって形成されている（これに制限されない）。特に、中央のクランクハンドル又は車によって形成されている。
【００２５】
エスケープに対しては、この駆動メンバーは、以下のことを確実にする。すなわち、
−  （振動を維持する）エネルギーの伝達
−  計数
である。なぜなら、駆動メンバーが波と同じ速度で回転するからである。
【００２６】
なお、リングのまわりの波の伝達の速度は、駆動メンバーと無関係であって、リングの特性である。
【００２７】
したがって、システムが適切な寸法構成を有する場合、この駆動メンバーは、波と同じ速度で波を追うはずである。
【００２８】
この波は、リングの材料を伝搬する。波の影響によって、リングが弾性変形する（曲がる）。
【００２９】
好ましくは、励起は連続的である（これに制限されない）。したがって、リング上の１点に焦点がある場合、駆動メンバーがある１点を通過することが正弦波ピークと類似することとなる。信号は、好ましくは、周期的である。
【００３０】
図示した例において、駆動メンバーの存在と関係する波の効果によって、リングを半径方向に押す傾向が発生し、リングが弾性変形する。
【００３１】
励起波はリングの弾性変形の波であり、これは、ほとんど横波であり、実質的に半径方向の変形をもたらす。
【００３２】
このことによって、図示した例において、なぜ、円環から開始して、変形が、主軸が中心のまわりを回転するような楕円のようになるのかがわかる。他の変形形状も思い描くことができることは明らかであろう。
【００３３】
この一又は複数の励起波を受ける物は、好ましくは、実質的に環状の形であり、特定の場合には、完全な回転面を形成するトロイドリングである。
【００３４】
この物を、上記の実験室の例におけるグラスの茎部のように固定保持することができる。
【００３５】
図面には、固定保持された細長材がリングを保持するような複数の変種を示している。好ましくは、これらの細長材は、適正な動作を行うことができるようにリングに対して非常に可撓性がある。
【００３６】
実際に、グラスステムと比較しての分析は、腕時計には不適当であると考えられる。なぜなら、この実施形態においては、グラスの縁部が固定取り付け点から十分な距離離れて変形するために、グラスの壁の高さが大きいことを必要とするからである。
【００３７】
本発明は、駆動メンバーの軸と実質的と同心である変形可能な環状共振器によって計時器機構列の回転速度を同期させる機構に関し、この環状共振器は、伝統的な計時器用歯車列においてエスケープ車に通常割り当てられる機能を満たすものである。好ましくは、この環状共振器は、上記のような「ワイングラス型」共振器と同様なものである。駆動メンバーと共振器の間の相互作用は、機械的であっても非接触式であってもよく、非接触式のものとしては、特に、磁気式及び／又は静電式のものがある。
【００３８】
具体的には、本発明は、ムーブメント１０が備えるエネルギー貯蔵手段３で発生したトルクを受ける計時器用ムーブメント１０の歯車列２の回転速度を同期させる機構１に関する。
【００３９】
本発明によると、この機構１は、リング７を有する環状共振器６を有し、このリング７は、機構１が備える駆動メンバー８の運動によって引き起こされる作用の影響の下で軸Ａのまわりにて変形可能である。この駆動メンバー８は、トルクによって直接又は間接的に駆動され、具体的には、エネルギー貯蔵手段３によって駆動される。特に、歯車列によってバレルから駆動される。
【００４０】
本発明の実装例の１つにおいて、駆動メンバー８の速度は、リング７の全周でのリング７の材料における変形波の伝播速度を定める。
【００４１】
本発明の別の実装において、駆動メンバー８の速度は、定在モードに対応する繰り返し形成される形どうしの間のリング７の振動する定在波を定める。
【００４２】
好ましい実施形態において、駆動メンバー８は、ディスプレー４を駆動する。例えば、計時器用ムーブメント１０の第２のディスプレーである。
【００４３】
駆動メンバー８の運動には、回転運動が含まれる。好ましくは、駆動メンバー８の運動は回転運動である。
【００４４】
図１５に示すように、本発明の実装例の１つにおいて、駆動メンバー８は、少なくとも１つの遠位端８００を有し、これは、制約がない自由状態において、軸Ａを中心としてリング７によって形成される最も小さな直径を軸Ａの外側方向に越えるように位置している。具体的には、少なくとも１つの遠位端８００は、軸Ａに対する半径方向外側に突き出る隆起部分７００の形にリング７を局所的に変形させる。
【００４５】
より詳細には、少なくとも１つの遠位端８００は、制約がない自由状態にて、軸Ａの側の内周にてリング７に形成された少なくとも１つの凹部７１と連係するように構成している。
【００４６】
特定の実施形態において、リング７は、制約がない自由状態にて、軸Ａの側の内周にて、軸Ａの方を向いている少なくとも１つの隆起７０を有しており、これは、軸Ａを中心としてリング７によって形成される最も小さな直径を形成している。
【００４７】
特定の実施形態において、駆動メンバー８と環状共振器６の間の相互作用は機械的である。
【００４８】
特定の静的な実施形態において、駆動メンバー８は、リング７の遠心方向に、軸Ａを中心とする少なくとも１つの半径方向の力をはたらかせる。
【００４９】
好ましい実施形態において、リング７は、複数の可撓性細長材９によって、計時器用ムーブメント１０が備えるプレート５に固定され、この可撓性細長材９は、第１の代替実施形態において、リング７よりも可撓性があり、これは、実質的に軸Ａを中心とするリング７を保持し、軸Ａに垂直な同じ平面Ｐ内にリング７の運動を制限するように構成しており、リング７の慣性の中心の運動が、平面Ｐにおけるリング７の最も小さな外側寸法の１０分の１よりも小さい範囲に制限されている。
【００５０】
第２の代替実施形態において、これらの可撓性細長材９は、リング７よりも剛性が大きい。
【００５１】
図１〜４及び９〜１１に示すように、第１の変種実施形態において、環状の「ワイングラス」タイプの共振器６が、クランクハンドルとして作用する駆動メンバー８と同期される。図２は、安静状態の共振器の形を示しており、図１及び３は、環状共振器６がクランクハンドルの進行中にとることができる極限状態を示している。
【００５２】
好ましいことに、環状共振器６のリング７は、リング７よりも可撓性が高い複数の可撓性細長材によって、計時器用ムーブメント１０が備えるプレート５に固定され、この可撓性細長材は、軸Ａを中心とするリング７を保持し、軸Ａに垂直な同じ平面Ｐにおけるリング７の運動を非常に小さな運動距離の範囲に制限するように構成している。特に、この平面Ｐにおけるリング７の最も小さな外側寸法の１０分の１よりも小さな運動距離の範囲に制限する。図示した好ましい場合において、静止状態において、リング７は、実質的に環状であり、この小さな方の寸法は、リング７の極端な変形に対応する楕円の小さな軸の長さである。図９〜１１は、同様の構成を示しているが、可撓性細長材９は、図面の水平軸に対して９０°を法とする４５°（４５°  modulo  ９０°）において振動節になることができる領域に取り付けられており、環状共振器は、厳密には自由状態の回転でなく、図１０に示すように、リングに対して付加的な半径方向の力をかけて可撓性細長材９を越えることを駆動メンバーに強いるような２つの束縛部分を有する。
【００５３】
駆動メンバー８と環状共振器６の間の相互作用は、機械的なタイプのものであり、駆動メンバー８は、リング７に対して半径方向外側の力を与える。
【００５４】
第２の変種実施形態において、駆動メンバー８と環状共振器６の間の相互作用は、磁石及び／又は磁極を有する磁気的相互作用手段１１によって達成される。
【００５５】
特定の実施形態において、リング７は、磁石又は磁極を複数である第１の数有し、駆動メンバー８は、磁石及び磁極を複数である第２の数有し、第１の数は、リング７と駆動メンバー８が速度増減機構をともに形成するように第２の数とは異なっている。具体的には、第１の数は、第２の数と１異なっている。
【００５６】
特定の実施形態において、磁気的相互作用手段１１又は磁石の形は、磁位のランプ（傾斜）を形成する第１の領域と、及び磁位の障壁を形成する第２の領域を定め、これによって、駆動メンバー８と環状共振器６の間にインパルスを閉じ込める。
【００５７】
第３の変種において、駆動メンバー８と環状共振器６の間の相互作用は、エレクトレット及び／又は静電気伝導性の棒体を有する静電相互作用手段によって達成される。
【００５８】
図５に示すように、第２又は第３の変種において、磁気又は静電相互作用手段１１あるいは磁石又はエレクトレットの形はそれぞれ、磁位ランプを形成する第１の領域と、及び磁位障壁を形成する第２の領域とを定め、これによって、駆動メンバー８と環状共振器６の間にインパルスを閉じ込める。図５の実施形態において（これに制限されない）、駆動メンバー８は、Ｔ字形の磁石８１を支えており、これは、駆動メンバー８とリング７の特定の相対的位置において、まず、部分的な重ね合わせを達成し、そして、リング７の領域との全体的な重ね合わせを達成する。このリング７は、磁路７１を備えることができ、また、備えなくてもよい。磁石８１と磁路７１の間の連係は漸進的である。すなわち、磁石８１の第１の枝部８２が、磁位ランプを形成している対向している磁路７１と連係し始め、次に、これと交差している磁石８１の棒部８３が、インパルスを発生させる実際の磁位障壁を形成する。
【００５９】
図４、５、２１、２７〜３１に示す好ましい変種において、リング７は、その周部において連続的又は周期的な重みを加えられている。これは、例えば、慣性ブロック７５によって達成される。これによって、装備されるリング７の外観が車両のトラック路のようになる。
【００６０】
図２７〜３１は、第１の固有モードの周波数を低下させるためにこれらのバラストによってもたらされる利点を示している。
【００６１】
具体的には、連続的又は周期的な形態でリング７に重みが加えられている。
【００６２】
特定の実施形態において、リング７は複数の慣性ブロック７５によって重みが加えられている。
【００６３】
特定の実施形態において、少なくともいくつかの慣性ブロック７５が、軸Ａに対するリング７の外側に延在し、Ｔ字形の輪郭を有しており、このＴ字形の輪郭の垂直方向の棒部分は、軸Ａを中心とする半径方向を向いており、Ｔ字形の輪郭の交差方向の棒部分は、軸Ａに垂直であり、軸Ａから最も遠い。
【００６４】
図４は、固有周波数を低下させるように重みが加えられておりクランクハンドルと同期する環状の「ワイングラス型」共振器６を示している。図５は、固有周波数を低下させるために重みが加えられており車と磁気的に同期する「ワイングラス型」環状共振器６を示している。
【００６５】
車と共振器の間の相互作用要素として磁石を使用することによって、摩擦損失、衝撃ノイズ及び「低下」に起因する損失をなくすことが可能になる。磁石の形は、インパルスを閉じ込めるランプ／障壁の効果が発揮されるように、最適化することができる。
【００６６】
第１の機械的な変種においては、駆動メンバー８は、好ましいことに、リング７の機械的変形を引き起こすクランクハンドルである。
【００６７】
図５及び６のような実施形態では、駆動メンバー８は、リング７に対して非接触の力をはたらかせるように構成している車である。
【００６８】
特定の実施形態において、車は、軸Ａの側でリング７の内周面で転がる又は滑るように構成している少なくとも１つのローラー８５を備えるクランクハンドルを形成するアームを支えている。
【００６９】
上記の実施形態の１つ又は他の実施形態においては、リング７は、その周部に沿って変化する断面及び／又は厚みを有することができる。
【００７０】
特定の実施形態において、制約がない自由状態では、リング７は、軸Ａと直交する平面Ｐにおいて多角形ないし多ローブ形（polylobate shape）を有する。
【００７１】
特定の好ましい実施形態において、リング７は、マイクロ機械加工可能な材料又はケイ素で作られており、軸Ａを通る任意の平面にて長方形の断面を有する。
【００７２】
特定の実施形態において、リング７は、計時器用ムーブメント１０が備えるプレート５への接続用の複数の可撓性細長材９と一体的に形成されている。具体的には、リング７は、複数の可撓性細長材９及びプレート５と一体的に形成されている。
【００７３】
特定の実施形態において、駆動メンバー８は、エネルギー貯蔵手段３と駆動メンバー８の間に挿入された速度増減機構によって駆動される。図６に示すように、この速度増減機構は、磁気結合機構である。図６は、固有周波数を低下させるために重みを加えられ、磁気的増速ギアを介して磁気的に車と同期する「ワイングラス型」環状共振器６を示している。この磁気的増速ギアは、共振器の固有周波数よりも低い周波数で回転するエスケープ車を有するように構成している。
【００７４】
特定の実施形態において、駆動メンバー８は、第１のピッチの交番磁界８１を伴う第１のディスクを有し、これは、第１のピッチと非常に近いが異なる第２のピッチの磁界８２を伴う第２のディスクと連係している。
【００７５】
図示しない別の変種においては、機械的な相互作用と磁気的又は静電的な相互作用が組み合わさっている。
【００７６】
本発明は、さらに、プレート５上で固定されたエネルギー貯蔵手段３と駆動メンバー８を有する計時器用ムーブメント１０に関し、エネルギー貯蔵手段３は、環状共振器６を有する前記機構１を作動させるために歯車列２にトルクを伝達するように構成しており、前記プレート５には可撓性細長材９によってリング７が固定されており、駆動メンバー８は、歯車列２によって駆動され、駆動メンバー８は、表示手段４を制御する。特に、ムーブメント１０の秒表示のための手段を制御する。
【００７７】
本発明は、さらに、前記ムーブメント１０を１つ有する計時器１００に関する。具体的には、この計時器２００は腕時計である。
【００７８】
本発明は、以下のような相当に大きい利点を有する。本発明によって、スイス式レバーエスケープの無駄な運動をなくし、これによって、衝撃に起因する損失をなくすことが可能になる。エスケープの効率が相当に向上する。
【００７９】
このような環状共振器にはピボットがなく、したがって、バランスばねのピボットにおける摩擦損失が発生しない。
【００８０】
無駄な運動がないために、共振器の周波数を大きくすることができ、結果的に、腕時計のＱ及び精度を向上することができる。
【００８１】
クランクハンドルを備えた変種は、純粋に機械的な同期システムであり、分離することができない。
【００８２】
本発明は、エスケープと共振器の分野における革新を提案するものである。また、鼓動する心臓と視覚的に類似しているために強い情緒的な潜在力を有する。
【手続補正２】
【補正対象書類名】特許請求の範囲
【補正対象項目名】全文
【補正方法】変更
【補正の内容】
【特許請求の範囲】
【請求項１】
歯車列（２）とエネルギー貯蔵手段（３）とが同じプレート（５）上に固定されている計時器用ムーブメント（１０）であって、
前記歯車列（２）は、当該計時器用ムーブメント（１０）内でトルクを受け、
前記エネルギー貯蔵手段（３）は、所与の固有共振振動数を有し当該計時器用ムーブメント（１０）内に設けられる共振器（６）と前記歯車列（２）を同期させる機械的な機構（１）を作動させるために前記歯車列（２）にトルクを伝達するように構成しており、
前記共振器（６）は、軸（Ａ）のまわりに配置されたリング（７）を有する環状共振器であり、
前記リング（７）は、前記機構（１）内に設けられる駆動メンバー（８）の運動によって引き起こされる作用によって周期的に変形するように構成しており、
前記駆動メンバー（８）は、前記歯車列（２）によって直接又は間接的に回転運動するように駆動され、
前記駆動メンバー（８）と前記環状共振器（６）の間の相互作用は、磁石及び／又は磁極を有する磁気的相互作用手段（１１）によって達成され、
前記リング（７）は、磁石又は磁極を複数である第１の数有し、
前記駆動メンバー（８）は、磁石又は磁極を複数である第２の数有し、
前記第１の数は、前記第２の数とは異なっており、これによって、前記リング（７）と前記駆動メンバー（８）が速度増減機構をともに形成している
ことを特徴とする計時器用ムーブメント（１０）。
【請求項２】
前記第１の数は、第２の数と１異なっている
ことを特徴とする請求項１に記載の計時器用ムーブメント（１０）。
【請求項３】
前記磁気的相互作用手段（１１）又は前記磁石の形は、磁位ランプを形成する第１の領域と、及び磁位障壁を形成する第２の領域とを定め、これによって、前記駆動メンバー（８）と前記環状共振器（６）の間にインパルスを閉じ込める
ことを特徴とする請求項１に記載の計時器用ムーブメント（１０）。
【請求項４】
前記駆動メンバー（８）は、前記リング（７）に非接触で作用するように構成している車である
ことを特徴とする請求項１に記載の計時器用ムーブメント（１０）。
【請求項５】
前記車は、軸（Ａ）の側の前記リング（７）の内周面で回転又は滑るように構成している少なくとも１つのローラー（８５）を備えるクランクハンドルを形成するアームを支えている
ことを特徴とする請求項４に記載の計時器用ムーブメント（１０）。
【請求項６】
前記所与の固有共振振動数は、当該変形波と同じ速度で当該変形波を追う前記駆動メンバー（８）の運動時における、前記リング（７）の全周にわたっての前記リング（７）の材料における変形波の伝搬速度を定める
ことを特徴とする請求項１に記載の計時器用ムーブメント（１０）。
【請求項７】
前記所与の固有共振振動数は、当該変形波と同じ速度で当該変形波を追う前記駆動メンバー（８）の運動時における、定常モードに対応する繰り返される形態どうしの間の前記リング（７）の振動の定在波を定める
ことを特徴とする請求項１に記載の計時器用ムーブメント（１０）。
【請求項８】
前記駆動メンバー（８）は、当該計時器用ムーブメント（１０）のディスプレー（４）を駆動する
ことを特徴とする請求項１に記載の計時器用ムーブメント（１０）。
【請求項９】
前記駆動メンバー（８）の運動には、少なくとも１つの回転運動を伴う
ことを特徴とする請求項１に記載の計時器用ムーブメント（１０）。
【請求項１０】
前記駆動メンバー（８）の運動は、回転運動である
ことを特徴とする請求項９に記載の計時器用ムーブメント（１０）。
【請求項１１】
前記駆動メンバー（８）は、前記軸（Ａ）を中心として前記リング（７）によって示される最も小さな直径を前記軸（Ａ）の外側方向に越えるように位置している少なくとも１つの遠位端（８００）を有する
ことを特徴とする請求項１に記載の計時器用ムーブメント（１０）。
【請求項１２】
前記リング（７）は、前記軸（Ａ）に対して半径方向外側に隆起している隆起部分（７００）を有する
ことを特徴とする請求項１１に記載の計時器用ムーブメント（１０）。
【請求項１３】
前記少なくとも１つの遠位端（８００）は、応力を与えられていない自由状態において、前記軸（Ａ）の側の前記リング（７）の内周にて前記リング（７）にて設けられた少なくとも１つの凹部（７１）と連係するように構成している
ことを特徴とする請求項１１に記載の計時器用ムーブメント（１０）。
【請求項１４】
前記リング（７）は、応力を与えられていない自由状態において、前記軸（Ａ）の側の前記リング（７）の内周にて、前記軸（Ａ）を中心とする最も小さな直径を前記リング（７）が形成するような前記軸（Ａ）に対向している少なくとも１つの隆起部分（７０）を有する
ことを特徴とする請求項１に記載の計時器用ムーブメント（１０）。
【請求項１５】
前記リング（７）は、前記リング（７）よりも可撓性が高い複数の可撓性細長材（９）によって前記プレート（５）に固定されており、
この可撓性細長材（９）は、実質的に前記軸（Ａ）の位置に中心化するように前記リング（７）を維持し、前記軸（Ａ）に垂直な同じ平面（Ｐ）内に前記リング（７）の運動を制限し、これにおいて、前記リング（７）の慣性中心の運動が前記平面（Ｐ）における前記リング（７）の最も小さな外側寸法の１０分の１よりも小さい
ことを特徴とする請求項１に記載の計時器用ムーブメント（１０）。
【請求項１６】
前記リング（７）は、前記リング（７）よりも剛性が高い複数の可撓性細長材（９）によって前記プレート（５）に固定されており、
この可撓性細長材（９）は、実質的に前記軸（Ａ）の位置に中心化するように前記リング（７）を維持し、前記軸（Ａ）に垂直な同じ前記平面（Ｐ）内に前記リング（７）の運動を制限し、これにおいて、前記リング（７）の慣性中心の運動が前記平面（Ｐ）における前記リング（７）の最も小さな外側寸法の１０分の１よりも小さい
ことを特徴とする請求項１に記載の計時器用ムーブメント（１０）。
【請求項１７】
前記リング（７）には、連続的又は周期的な形態で、周部に重みを加えられている
ことを特徴とする請求項１に記載の計時器用ムーブメント（１０）。
【請求項１８】
前記リング（７）には、複数の慣性ブロック（７５）によって重みを加えられている
ことを特徴とする請求項１７に記載の計時器用ムーブメント（１０）。
【請求項１９】
前記慣性ブロック（７５）のうちの少なくとも一部は、前記軸（Ａ）に対して前記リング（７）の外側に延在し、この慣性ブロックは、Ｔ字の縦の棒が前記軸（Ａ）に対して半径方向に延在しＴ字の横の棒が前記軸（Ａ）に最も遠い位置で前記軸（Ａ）に対する半径方向とは垂直に延在するようなＴ字形の輪郭を有する
ことを特徴とする請求項１８に記載の計時器用ムーブメント（１０）。
【請求項２０】
前記リング（７）は、その周部に沿って変化する断面及び／又は厚みを有する
ことを特徴とする請求項１に記載の計時器用ムーブメント（１０）。
【請求項２１】
応力が与えられていない自由状態において、前記リング（７）は、前記軸（Ａ）と直交する平面（Ｐ）において多角形ないし多ローブ形を有する
ことを特徴とする請求項１に記載の計時器用ムーブメント（１０）。
【請求項２２】
前記リング（７）は、マイクロ加工可能な材料又はケイ素で作られており、前記軸（Ａ）を通るすべての平面において長方形の断面を有する
ことを特徴とする請求項１に記載の計時器用ムーブメント（１０）。
【請求項２３】
前記リング（７）は、前記プレート（５）に接続する前記複数の可撓性細長材（９）と一体的に形成されている
ことを特徴とする請求項２２に記載の計時器用ムーブメント（１０）。
【請求項２４】
前記リング（７）は、前記複数の可撓性細長材（９）及び前記プレート（５）と一体的に形成されている
ことを特徴とする請求項２３に記載の計時器用ムーブメント（１０）。
【請求項２５】
請求項１に記載の計時器用ムーブメント（１０）を有し、腕時計である
ことを特徴とする計時器（１００）。
【請求項２６】
前記リング（７）は、前記複数の可撓性細長材（９）及び前記プレート（５）と一体的に形成されている
ことを特徴とする請求項２５に記載の計時器用ムーブメント（１０）。
【請求項２７】
環状共振器（６）を有する機構（１）を作動させる歯車列（２）にトルクを伝達するように構成しているエネルギー貯蔵手段（３）がプレート（５）に固定されており、
前記リング（７）は、前記可撓性細長材（９）によって前記プレート（５）に固定されており、
前記駆動メンバー（８）は、前記歯車列（２）によって駆動され、
前記駆動メンバー（８）は、当該計時器用ムーブメント（１０）のディスプレー手段（４）を制御する
ことを特徴とする請求項１に記載の計時器用ムーブメント（１０）。
【請求項２８】
請求項２７に記載の計時器用ムーブメント（１０）を有し、腕時計である
ことを特徴とする計時器（１００）。
【国際調査報告】
2016540987.tif 000032
2016540987.tif 000033
2016540987.tif 000034
2016540987.tif 000035